(57)【特許請求の範囲】
【請求項１】
２チャンネルとマルチチャンネルの２つの音声信号を記録したトラックを１つ以上含むオーディオタイトルを１つ以上含むグループを記録したオーディオディスクを再生するオーディオディスク再生装置における音声切換方法であって、
前記オーディオタイトル内の前記トラックが前記２チャンネルと前記マルチチャンネルの２つの音声信号を含むトラックであるか否かの判定が行われたか否かを示す判定終了フラグを、前記グループの再生開始時にリセットするステップと、
前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、
前記判定するステップにおいて、前記トラックが２つの音声信号を含むトラックであり、かつ、判定終了フラグが０であった場合には、判定終了フラグを０から１に反転し、さらに、前記オーディオディスク再生装置の音声出力設定の２チャンネル及びマルチチャンネルの別に対応して、前記トラックの前記２チャンネルと前記マルチチャンネルの音声のうち一方を選択するステップとを、
有する音声切換方法。
【請求項２】
２チャンネルとマルチチャンネルの２つの音声信号を記録したトラックを１つ以上含むオーディオタイトルを１つ以上含むグループを記録したオーディオディスクを再生するオーディオディスク再生装置であって、
前記オーディオタイトル内の前記トラックが前記２チャンネルと前記マルチチャンネルの２つの音声信号を含むトラックであるか否かの判定が行われたか否かを示す判定終了フラグを保持するメモリ装置と、
前記グループの再生開始時に前記判定終了フラグをリセットし、前記グループ内の各前記オーディオタイトルの再生開始時に、前記オーディオタイトル内の前記トラックが前記２チャンネルと前記マルチチャンネルとの２つの音声信号を含むトラックであるか否かを判定し、判定された結果、前記トラックが２つの音声信号を含むトラックであり、かつ、判定終了フラグが０であった場合には、判定終了フラグを０から１に反転し、さらに、音声出力端子設定回路から得られる２チャンネル及びマルチチャンネルの別を示す情報に対応して、前記トラックの前記２チャンネルと前記マルチチャンネルの音声のうち一方を選択する音声切換装置とを、
有するオーディオディスク再生装置。
【請求項３】
２チャンネルとマルチチャンネルの２つの音声信号を記録したトラックを１つ以上含むオーディオタイトルを１つ以上含むグループを記録したオーディオディスクを再生するオーディオディスク再生装置における音声切換方法であって、
前記オーディオタイトル内の前記トラックが前記２チャンネルと前記マルチチャンネルの２つの音声信号を含むトラックである場合に、どちらの音声を優先的に再生するかを示す優先度フラグを、前記グループの再生開始時に、前記オーディオディスク再生装置の音声出力設定が前記２チャンネルである場合には０に、前記マルチチャンネルである場合には１に設定するステップと、
前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、
前記判定するステップにおいて、前記トラックが２つの音声信号を含むトラックである場合に、前記優先度フラグが０ならば前記トラックの前記２チャンネルの音声を選択し、前記優先度フラグが１ならば前記トラックの前記マルチチャンネルの音声を選択するステップと、
前記オーディオタイトル内の前記トラックを再生中に、ユーザー操作により前記２チャンネルの音声と前記マルチチャンネルの音声の切換の信号が入力された場合には、前記優先度フラグの値を反転させるステップとを、
有する音声切換方法。
【請求項４】
２チャンネルとマルチチャンネルの２つの音声信号を記録したトラックを１つ以上含むオーディオタイトルを１つ以上含むグループを記録したオーディオディスクを再生するオーディオディスク再生装置であって、
前記オーディオタイトル内の前記トラックが前記２チャンネルと前記マルチチャンネルの２つの音声信号を含むトラックである場合に、どちらの音声を優先的に再生するかを示す優先度フラグを保持するメモリ装置と、
前記グループの再生開始時に、前記オーディオディスク再生装置の音声出力設定が前記２チャンネルである場合には前記優先度フラグを０に、前記マルチチャンネルである場合には前記優先度フラグを１に設定し、前記グループ内の各前記オーディオタイトルの再生開始時に、前記オーディオタイトル内の前記トラックが前記２チャンネルと前記マルチチャンネルとの２つの音声信号を含むトラックであるか否かを判定し、判定された結果、前記トラックが２つの音声信号を含むトラックである場合に、前記優先度フラグが０ならば前記トラックの前記２チャンネルの音声を選択し、前記優先度フラグが１ならば前記トラックの前記マルチチャンネルの音声を選択し、前記オーディオタイトル内の前記トラックを再生中に、ユーザー操作により前記２チャンネルの音声と前記マルチチャンネルの音声の切換の信号が入力された場合には、前記優先度フラグの値を反転させる音声切換装置とを、
有するオーディオディスク再生装置。
【発明の詳細な説明】
【０００１】
【発明の属する技術分野】
本発明は、光ディスクなどの記録媒体に各曲に対し２つの異なる音声信号を記録し、その２つのいずれかを選択して視聴する光ディスクなどの記録媒体を再生する音声切換方法及びオーディオディスク再生装置に関する。
【０００２】
【従来の技術】
記録媒体であるＣＤなどの従来の光ディスクにおいて、記録再生する各曲に対する音声信号は１種類のみであり、視聴者による音声切換などを行うことができなかった。一方、ＤＶＤ−Ｖｉｄｅｏディスクにおいては、再生の単位である１タイトルに対して８種類までの音声を記録し、再生時に切換視聴できる。この目的は、映画などにおける言語切換のためである。
【０００３】
また、オーディオメディアであるＤＶＤ−Ａｕｄｉｏディスクにおいては、再生の最小単位である１トラックに対して２種類の音声を記録し、再生時に切換視聴できる。この目的は、１曲に対して２つの録音方法による音声を記録するもので、例えば同じ符号化方式による２チャンネルステレオ録音と５．１チャンネル録音の記録、または、ステレオ音楽のリニアＰＣＭ録音と圧縮ＰＣＭ録音の記録などが考えられる。
【０００４】
表１にＤＶＤ−Ａｕｄｉｏで可能な音声切換タイプを示す。
なお、表１において、ステレオとは２チャンネル又はモノラルを示し、マルチとは３チャンネル以上のマルチチャンネルを示し、Ａ，Ｂは符号化方式の違い（Ａ，Ｂが特定の符号化方式を指定するものでない）を示す。
【０００５】
【表１】
0003700920.tif 000002
【０００６】
表１に示すように、音声切換タイプとしては、切換なし（タイプ０）を含めて４タイプ（タイプ０〜３）の収録が可能である。
また、ＤＶＤ−Ａｕｄｉｏは、ディスク上に９つまでのグループを収録でき、各グループ内に９９までのトラックを収録できる階層構造になっている。
プレーヤーで再生する場合にはグループが連続再生の単位であり、視聴者がグループを選択し、そのグループの再生を開始すると、グループ内のトラックをトラック番号順に再生し、グループ内の最後のトラックの再生を終了した時点で再生停止するのが手順となっている。
【０００７】
ＤＶＤ−Ａｕｄｉｏでは、１つのグループ内において、表１に示す４タイプの音声切換が混在することが許されており、その例を表２に示す。
なお、表２において、＊１はグループの再生開始時に、プレーヤーが音声出力端子の設定に応じて０又は１を自動選択することを示し、＊２はユーザーの切換操作により０から１又は１から０に反転した例を示す。
【０００８】
【表２】
0003700920.tif 000003
【０００９】
表２に示す例は、グループ１内にトラックが８つあり、トラック１，２が音声切換タイプ２、トラック３，４がタイプ０、トラック５，６がタイプ３、トラック７，８がタイプ１で収録される場合を示している。
また、表２のような例の場合、ディスク上の実際の論理構造としては、音声切換タイプが同一の連続するトラックを１つのＡＴＴ（Audio Title：オーディオタイトル）として構成する。ＡＴＴ内に複数の音声切換タイプを持つことはできない。つまり、表２の場合、グループ１はそれぞれ２つのトラックから成る４つのＡＴＴから構成される。後述する表４、表５、表６でも同様である。
【００１０】
これらの音声を切り換えて再生するために、プレーヤーでは表３に挙げる２つのパラメータ、Ｕ＿ＡＳＬＮ（ユーザーズ・オーディオ・セレクション・ナンバー）及びＣ＿ＡＳＬＮ（カレント・オーディオ・セレクション・ナンバー）を使用する。Ｕ＿ＡＳＬＮは、ユーザー（視聴者）の選択嗜好を保持するパラメータであり、Ｕ＿ＡＳＬＮは次の場合にのみ変更又はリセットされ、それ以外の場合は保持される。
【００１１】
・ユーザーがリモコンの音声切換キーなどで音声切換を実行した場合
・再生開始時にプレーヤーの判断により最初にＵ＿ＡＳＬＮを自動選択する場合
・再生が停止した場合
【００１２】
一方、Ｃ＿ＡＳＬＮは現在再生中の音声番号を常に保持するパラメータである。表２には、このグループをＵ＿ＡＳＬＮとＣ＿ＡＳＬＮを用いて再生する例を示している。
【００１３】
【表３】
0003700920.tif 000004
【００１４】
この場合、再生開始時に、プレーヤーは、音声出力端子の設定が「ステレオ」の場合にはＵ＿ＡＳＬＮ＝０（音声０）に、「３チャンネル以上のマルチチャンネル」の場合にはＵ＿ＡＳＬＮ＝１（音声１）に自動選択する。その後はユーザーによる切換操作が行われない限り、Ｕ＿ＡＳＬＮは保持される。
【００１５】
表２にあるように、音声出力端子がステレオ設定になっている場合には、タイプ２，３の場合ステレオ側を正しく選択している。また、音声出力端子がマルチチャンネル設定になっている場合には、タイプ２，３のマルチ側を正しく選択再生することができる。
【００１６】
なお、音声出力がマルチチャンネルでトラック３，４の場合のように、Ｕ＿ＡＳＬＮ側が存在しない（又はプレーヤーにとって再生できない）場合にはＵ＿ＡＳＬＮを保持したまま、Ｃ＿ＡＳＬＮはＵ＿ＡＳＬＮと逆の値に設定され、再生される。
【００１７】
次に、別の例を表４に示す。なお、表４において、＊１はグループの再生開始時のＡＴＴに音声切換がないので０を自動選択することを示し、＊２はユーザーの切換操作により０から１へ反転した例を示す。
【００１８】
【表４】
0003700920.tif 000005
【００１９】
この例はグループ先頭ＡＴＴの音声切換タイプが０の場合である。この場合、プレーヤーは再生開始時の判定として「切換なし」なので、Ｕ＿ＡＳＬＮ＝０に自動選択する。したがって、引き続くトラック３，４においても、ユーザーが切換操作を行わない限り、Ｕ＿ＡＳＬＮ＝Ｃ＿ＡＳＬＮ＝０となり、マルチチャンネル出力設定の場合でもステレオ側を再生するという問題が発生する。なお、この問題は表４の場合に限らず、表２の場合でトラック３又は４から再生を開始した場合にも同じように発生する。
【００２０】
この問題を緩和する従来の手段として、グループ内で音声切換タイプがタイプ２又は３のＡＴＴに遭遇する毎に、プレーヤーによってステレオ／マルチ自動選択を毎回行う方法がある。この例を表５に示す。
なお、表５において、＊１はタイプ２又は３のＡＴＴ再生開始時に、プレーヤーが音声出力端子の設定に応じて０又は１を自動選択することを示し、＊２はユーザーの切換操作により０から１へ反転した例を示す。
【００２１】
【表５】
0003700920.tif 000006
【００２２】
以下、音声出力がマルチチャンネルの場合について述べる。この場合、トラック３の再生開始時に、タイプ３のステレオ／マルチ自動選択でマルチ側が正しく選択され、表４の問題は解決されるように思われる。
【００２３】
しかし、次のトラック４の再生中に、ユーザーの切換操作でステレオ（音声０）側に切り換えて再生を継続した場合、トラック７の再生開始時に、再びタイプ２のステレオ／マルチ自動選択が実行され、マルチ（音声１）側に切り換えられる。これは、ステレオ（音声０）側を継続して視聴しているユーザーの意思とは異なる動作であり、やはり問題であると考えられる。
【００２４】
図５に表５の場合の処理フローチャートを示す。
図５では、ＡＴＴを１つの処理単位としてフローチャートを記述している。なお、図中で、「Ｕ＿ＡＳＬＮ側の再生が不可能」、「切換先の再生が不可能」という状況は、以下の場合に相当する。
・対象の音声符号化方式（音声１側で、かつオプショナル音声の場合に限る）をプレーヤーがサポートしていない場合
・音声出力端子がステレオ設定の場合で、対象のマルチチャンネル音声がステレオでの再生を禁止している場合
この状況は、本発明で議論している問題と関係なく生じるものである。
【００２５】
すなわち、図５に示すグループ再生時のフローチャートでは、まず、Ｕ＿ＡＳＬＮ＝Ｃ＿ＡＳＬＮ＝０に設定されていて（ステップＳ５１）、音声切換タイプが２又は３であると判定された場合に（ステップＳ５２）、音声出力がステレオの場合にはＵ＿ＡＳＬＮ＝０；Ｃ＿ＡＳＬＮ＝０に、他方、音声出力がマルチチャンネルの場合にはＵ＿ＡＳＬＮ＝１；Ｃ＿ＡＳＬＮ＝１に設定する（ステップＳ５３）。
【００２６】
音声切換タイプが２又は３でなく、０と判定された場合にはＣ＿ＡＳＬＮ＝０に設定する（ステップＳ５４→Ｓ５５）。また、音声切換タイプが２、３、又は０のいずれでもないと判定された場合には、Ｕ＿ＡＳＬＮの再生が可能であればＣ＿ＡＳＬＮ＝Ｕ＿ＡＳＬＮに設定し、Ｕ＿ＡＳＬＮの再生が不可能であればＣ＿ＡＳＬＮ＝（Ｕ＿ＡＳＬＮの反転出力）に設定する（ステップＳ５４→Ｓ５６）。
【００２７】
上記ステップＳ５３，Ｓ５５，Ｓ５６を経た後は、Ｃ＿ＡＳＬＮ側のトラック音声再生を行い、再生中に、ユーザーにより切換操作が入った場合には、切換先の再生が可能であればＵ＿ＡＳＬＮ＝反転；Ｃ＿ＡＳＬＮ＝反転を選択し、切換先の再生が不可能であればＣ＿ＡＳＬＮ＝保持；Ｕ＿ＡＳＬＮ＝保持を選択する処理を行う（ステップＳ５７，Ｓ５８）。
その後、グループが終了すれば、ストップ処理し、終了していなければステップＳ５２以下を繰り返す（ステップＳ５９）。
【００２８】
図６は上述した音声切換処理手順を実行する従来の音声切換装置の構成を示すブロック図である。
図６に示す構成における音声切換の処理手順は次の通りである。
音声切換装置１は、音声出力端子設定回路２からの情報と、Ｕ＿ＡＳＬＮ，Ｃ＿ＡＳＬＮメモリ装置３のメモリ値、及びユーザーインターフェース回路４を通してユーザーが音声切換処理を指示したことをホストＭＰＵ５から通知され、それらに基づいて図５に示したフローチャートに従って音声切換を決定し、再生制御装置６に音声データの選択結果を通知すると同時に、オーディオデコーダ８に再生すべき音声データの属性を設定する。
【００２９】
また、同時に、ホストＭＰＵ５からは音声データの再生開始・終了アドレスが再生制御装置６に通知される。Ｄ／Ａコンバータ装置９の端子設定は、音声出力端子設定回路２により、ステレオ出力かマルチチャンネル出力に設定されている。
引き続き、音声データの処理手順は次の通りである。ピックアップ駆動回路１０は、再生制御装置６によって指示されたディスク１１上の位置からデータを読み出し、データは復調エラー訂正回路１２を経て、トラックバッファ７にいったん蓄積される。データは再生制御装置６によって指示された時刻にトラックバッファ７から出力され、多重分離回路１３で音声データのみが分離され、オーディオバッファ１４を介してオーディオデコーダ８に入力され、ＰＣＭ信号に変換された後、Ｄ／Ａコンバータ装置９でアナログ音声信号に変換され出力される。
【００３０】
【発明が解決しようとする課題】
上述したように、ディスク内の連続再生単位であるグループ内に、異なる音声切換タイプが混在した場合、プレーヤーがＵ＿ＡＳＬＮ／Ｃ＿ＡＳＬＮという２種類のパラメータのみを用いて、音声出力端子のステレオ／マルチチャンネル設定及びユーザーの選択意思を正しく反映して音声を切り換えることは困難であるという課題がある。
【００３１】
本発明は、上記課題を解決するためになされたもので、２チャンネルとマルチチャンネルの２つの音声信号を記録したトラックを１つ以上含むオーディオタイトル（ＡＴＴ）を１つ以上含むグループを記録したオーディオディスクを再生するオーディオディスク再生装置における音声切換方法であって、前記オーディオタイトル内の前記トラックが前記２チャンネルと前記マルチチャンネルの２つの音声信号を含むトラックであるか否かの判定が行われたか否かを示す判定終了フラグ（Ｄ＿Ｆｌａｇ）を、前記グループの再生開始時にリセットするステップと、前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、前記判定するステップにおいて、前記トラックが２つの音声信号を含むトラックであり、かつ、判定終了フラグが０であった場合には、判定終了フラグを０から１に反転し、さらに、前記オーディオディスク再生装置の音声出力設定の２チャンネル及びマルチチャンネルの別に対応して、前記トラックの前記２チャンネルと前記マルチチャンネルの音声のうち一方を選択するステップとを有する音声切換方法を提供することを目的とする。
【００３２】
【課題を解決するための手段】
本発明に係る音声切換方法は、２チャンネルとマルチチャンネルの２つの音声信号を記録したトラックを１つ以上含むオーディオタイトルを１つ以上含むグループを記録したオーディオディスクを再生するオーディオディスク再生装置における音声切換方法であって、前記オーディオタイトル内の前記トラックが前記２チャンネルと前記マルチチャンネルの２つの音声信号を含むトラックであるか否かの判定が行われたか否かを示す判定終了フラグを、前記グループの再生開始時にリセットするステップと、前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、前記判定するステップにおいて、前記トラックが２つの音声信号を含むトラックであり、かつ、判定終了フラグが０であった場合には、判定終了フラグを０から１に反転し、さらに、前記オーディオディスク再生装置の音声出力設定の２チャンネル及びマルチチャンネルの別に対応して、前記トラックの前記２チャンネルと前記マルチチャンネルの音声のうち一方を選択するステップとを有することを特徴とするものである。
【００３３】
また、本発明に係るオーディオディスク再生装置は、２チャンネルとマルチチャンネルの２つの音声信号を記録したトラックを１つ以上含むオーディオタイトルを１つ以上含むグループを記録したオーディオディスクを再生するオーディオディスク再生装置であって、前記オーディオタイトル内の前記トラックが前記２チャンネルと前記マルチチャンネルの２つの音声信号を含むトラックであるか否かの判定が行われたか否かを示す判定終了フラグを保持するメモリ装置と、前記グループの再生開始時に前記判定終了フラグをリセットし、前記グループ内の各前記オーディオタイトルの再生開始時に、前記オーディオタイトル内の前記トラックが前記２チャンネルと前記マルチチャンネルとの２つの音声信号を含むトラックであるか否かを判定し、判定された結果、前記トラックが２つの音声信号を含むトラックであり、かつ、判定終了フラグが０であった場合には、判定終了フラグを０から１に反転し、さらに、音声出力端子設定回路から得られる２チャンネル及びマルチチャンネルの別を示す情報に対応して、前記トラックの前記２チャンネルと前記マルチチャンネルの音声のうち一方を選択する音声切換装置とを有することを特徴とするものである。
【００３４】
また、本発明に係る音声切換方法は、２チャンネルとマルチチャンネルの２つの音声信号を記録したトラックを１つ以上含むオーディオタイトルを１つ以上含むグループを記録したオーディオディスクを再生するオーディオディスク再生装置における音声切換方法であって、前記オーディオタイトル内の前記トラックが前記２チャンネルと前記マルチチャンネルの２つの音声信号を含むトラックである場合に、どちらの音声を優先的に再生するかを示す優先度フラグ（Ｐ＿Ｆｌａｇ）を、前記グループの再生開始時に、前記オーディオディスク再生装置の音声出力設定が前記２チャンネルである場合には０に、前記マルチチャンネルである場合には１に設定するステップと、前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、前記判定するステップにおいて、前記トラックが２つの音声信号を含むトラックである場合に、前記優先度フラグが０ならば前記トラックの前記２チャンネルの音声を選択し、前記優先度フラグが１ならば前記トラックの前記マルチチャンネルの音声を選択するステップと、前記オーディオタイトル内の前記トラックを再生中に、ユーザー操作により前記２チャンネルの音声と前記マルチチャンネルの音声の切換の信号が入力された場合には、前記優先度フラグの値を反転させるステップとを有することを特徴とするものである。
【００３５】
また、本発明に係るオーディオディスク再生装置は、２チャンネルとマルチチャンネルの２つの音声信号を記録したトラックを１つ以上含むオーディオタイトルを１つ以上含むグループを記録したオーディオディスクを再生するオーディオディスク再生装置であって、前記オーディオタイトル内の前記トラックが前記２チャンネルと前記マルチチャンネルの２つの音声信号を含むトラックである場合に、どちらの音声を優先的に再生するかを示す優先度フラグを保持するメモリ装置と、前記グループの再生開始時に、前記オーディオディスク再生装置の音声出力設定が前記２チャンネルである場合には前記優先度フラグを０に、前記マルチチャンネルである場合には前記優先度フラグを１に設定し、前記グループ内の各前記オーディオタイトルの再生開始時に、前記オーディオタイトル内の前記トラックが前記２チャンネルと前記マルチチャンネルとの２つの音声信号を含むトラックであるか否かを判定し、判定された結果、前記トラックが２つの音声信号を含むトラックである場合に、前記優先度フラグが０ならば前記トラックの前記２チャンネルの音声を選択し、前記優先度フラグが１ならば前記トラックの前記マルチチャンネルの音声を選択し、前記オーディオタイトル内の前記トラックを再生中に、ユーザー操作により前記２チャンネルの音声と前記マルチチャンネルの音声の切換の信号が入力された場合には、前記優先度フラグの値を反転させる音声切換装置とを有することを特徴とするものである。
【００３６】
【発明の実施の形態】
＜第１の実施の形態＞
第１の実施の形態においては、記録媒体としてのディスク内の連続再生単位であるグループ内で、音声切換タイプ２，３のステレオ／マルチ自動選択を行ったかどうかを示すフラグを導入し、音声出力端子のステレオ／マルチチャンネル設定及びユーザーの選択意思を正しく反映して音声を切り換える。
以下、第１の実施の形態では、ディスク内の連続再生単位であるグループ内で、音声切換タイプ２，３のステレオ／マルチ自動選択を行ったかどうかを示すフラグＤ＿Ｆｌａｇ（Done Flag）を導入する方法を述べる。
【００３７】
表６に、Ｄ＿Ｆｌａｇを導入した場合を示す。例とする状況は表５の場合と同一である。なお、表６において、＊１はタイプ２又は３のＡＴＴ再生開始時に、プレーヤーが音声出力端子の設定に応じて０又は１を自動選択することを示し、＊２はユーザーの切換操作により１から０へ反転した例を示し、＊３は＊１の自動選択を１回行ったことによりＤ＿Ｆｌａｇを０から１へ変更することを示す（Ｄ＿Ｆｌａｇが１の状態では＊１の自動選択は行わない）。
【００３８】
【表６】
0003700920.tif 000007
【００３９】
まず、グループの再生開始時に、Ｄ＿Ｆｌａｇは０に設定されている。グループの再生中にＤ＿Ｆｌａｇ＝０の状態で音声切換タイプ２又は３のＡＴＴに遭遇した時点でステレオ／マルチ自動選択を行い、Ｄ＿Ｆｌａｇ＝１に反転される。グループが変更されたり、再生が停止されるまではＤ＿Ｆｌａｇを保持し、Ｄ＿Ｆｌａｇ＝１の間は自動選択を実行しない。
【００４０】
次に、音声出力がマルチチャンネルの場合について述べる。
この手法によれば、トラック３の再生開始時に正しくマルチチャンネルが選択され、その後、トラック４でユーザーの意思によりステレオ側（音声０）に切り換えられた場合でも、その意思を保持してその後の再生を継続する。したがって、表５で述べたようにトラック７で再びマルチチャンネルが自動選択される問題は解決される。
【００４１】
図１にこの第１の実施の形態に係る処理フローチャートを示す。
基本は図５に示す従来例と同等であるが、Ｄ＿Ｆｌａｇが導入され、グループ再生開始時に、０に初期化される（ステップＳ１１参照）。また、音声切換タイプ２，３のＡＴＴの再生開始時に、Ｄ＿Ｆｌａｇを評価し、自動選択を実行するかどうかを決定する。Ｄ＿Ｆｌａｇ＝０であり、自動選択を実行した場合にはＤ＿Ｆｌａｇが反転される（ステップＳ１２、Ｓ１３ａ、Ｓ１３ｂ参照）。Ｄ＿Ｆｌａｇ＝１であった場合には、ステップＳ１６を実行する。その他は図５と同様である。
【００４２】
図２は上述した音声切換方法を実施する第１の実施の形態に係る音声切換装置の構成を示すブロック図である。
図２に示す構成における音声切換の処理手順は次の通りである。
第１の実施の形態に係る音声切換装置１Ａは、音声出力端子設定回路２からの情報と、Ｕ＿ＡＳＬＮ，Ｃ＿ＡＳＬＮ，Ｄ＿Ｆｌａｇメモリ装置３Ａのメモリ値、及びユーザーインターフェース回路４を通してユーザーが音声切換処理を指示したことをホストＭＰＵ５から通知され、それらに基づいて図１に示したフローチャートに従って音声切換を決定し、再生制御装置６に音声データの選択結果を通知すると同時に、オーディオデコーダ８に再生すべき音声データの属性を設定する。また、同時に、ホストＭＰＵ５からは音声データの再生開始・終了アドレスが再生制御装置６に通知される。Ｄ／Ａコンバータ装置９の端子設定は、音声出力端子設定回路２により、ステレオ出力かマルチチャンネル出力に設定されている。
【００４３】
引き続き、音声データの処理手順は次の通りである。ピックアップ駆動回路１０は、再生制御装置６によって指示されたディスク１１上の位置からデータを読み出し、データは復調エラー訂正回路１２を経て、トラックバッファ７にいったん蓄積される。データは再生制御装置６によって指示された時刻にトラックバッファ７から出力され、多重分離回路１３で音声データのみが分離され、オーディオバッファ１４を介してオーディオデコーダ８に入力され、ＰＣＭ信号に変換された後、Ｄ／Ａコンバータ装置９でアナログ音声信号に変換され出力される。
【００４４】
したがって、上述した第１の実施の形態によれば、グループ内に音声切換タイプが混在しており、特に下記の状況においても、音声出力端子のステレオ／マルチチャンネル設定に対応し、かつユーザーの一時的な切換意思にも対応して、常に適切な音声切換が可能となる。
【００４５】
・グループ内の最初のトラックが音声切換タイプ０か１である場合にグループの先頭から再生を開始し、その後、音声切換タイプ２または３のトラックが再生される場合、
・グループ内の途中のトラックから再生を開始する場合で、再生開始トラックが音声切換タイプ０か１であり、その後、音声切換タイプ２または３のトラックが再生される場合
・グループ内の音声切換タイプ２又は３のＡＴＴを再生中にユーザーが音声切換を行い、その後に別の音声切換タイプ２又は３のＡＴＴが再生される場合
【００４６】
そして、以上の状況においても、
・グループ内で最初に出現する音声切換タイプ２又は３のＡＴＴでステレオ／マルチ自動選択を実行し、音声出力端子の設定に応じた音声を再生できる。
・音声切換タイプ２又は３のＡＴＴ再生中にユーザーが音声切換を行った場合
にも、その後にステレオ／マルチ自動選択は実行されないので、ユーザーの切換意思を保持した再生が可能である。
【００４７】
＜第２の実施の形態＞
第２の実施の形態においては、現在ユーザーがステレオ音声とマルチチャンネル音声のどちらを再生することを意図しているかを記憶するフラグを導入し、音声切換タイプ２，３のステレオ／マルチ自動選択をこのフラグに基づいて行い、音声出力端子のステレオ／マルチチャンネル設定及びユーザーの選択意思を正しく反映して音声を切り換える。
以下、第２の実施の形態では、現在ユーザーがステレオ音声とマルチチャンネル音声のどちらを再生することを意図しているかを記憶するフラグＰ＿Ｆｌａｇ（Preference Flag）を導入する方法を述べる。
【００４８】
表７に、Ｐ＿Ｆｌａｇを導入した場合を示す。例とする状況は表５の場合と同一である。なお、表７において、＊１は音声切換タイプ２又は３のＡＴＴ再生開始時に、Ｐ＿Ｆｌａｇに応じて０又は１を自動選択することを示し、＊２はユーザーの切換操作により１から０へ又は０から１へ反転した例を示し、＊３は音声切換タイプ２又は３のＡＴＴ中に、ユーザーの意思によりステレオ側（０）に切り換えたため、Ｐ＿Ｆｌａｇを１から０へ変更することを示す（音声切換タイプ１のＡＴＴ中にユーザー切換操作が生じてもＰ＿Ｆｌａｇは変更されない）。
【００４９】
【表７】
0003700920.tif 000008
【００５０】
まず、グループの再生開始時に、Ｐ＿Ｆｌａｇは音声出力端子の設定に応じて初期設定される。具体的には、音声出力がステレオの場台には０（ステレオを示す）に、マルチチャンネルの場合には１（マルチを示す）に設定される。グループの再生中に音声切換タイプ２又は３のＡＴＴに遭遇した時点で、Ｐ＿Ｆｌａｇに応じてステレオ／マルチ自動選択を行う。具体的には、Ｐ＿Ｆｌａｇが０の場合は、Ｕ＿ＡＳＬＮを０（ステレオ）に、Ｐ＿Ｆｌａｇが１の場合はＵ＿ＡＳＬＮを１（マルチ）に自動選択する。音声切換タイプ２又は３のＡＴＴ再生中にユーザーが音声切換操作を行い、音声が切り換えられた場合、Ｐ＿Ｆｌａｇは反転される。グループが変更されたり、再生が停止されるまではＰ＿Ｆｌａｇを保持する。または、ディスクがプレーヤーから取り出されるまでＰ＿Ｆｌａｇを保持する方法でも良い。
【００５１】
次に、音声出力がマルチチャンネルの場合について述べる。
この手法によれば、トラック３の再生開始時にＰ＿Ｆｌａｇに応じて正しくマルチチャンネルが自動選択され、その後、トラック４でユーザーの意思によりステレオ側（音声０）に切り換えられた場合、その意思によりＰ＿Ｆｌａｇを反転し、その後のトラック７ではそれに従ってステレオ側を再生する。したがって、表５で述べたようにトラック７で再びマルチが自動選択される問題は解決される。また、この第２の実施の形態の場合、トラック６で音声１側に切り換えられた場合でも、トラック７では、トラック４のときの選択意思に従ってステレオ側が選択される。
【００５２】
図３に、この第２の実施の形態に係る処理フローチャートを示す。
基本は図５に示す従来例と同等であるが、Ｐ＿Ｆｌａｇが導入され、グループ再生開始時に、音声出力の設定に応じて初期化される（ステップＳ３１）。また、音声切換タイプ２，３のＡＴＴの再生開始時にＰ＿Ｆｌａｇを評価し、自動選択が実行される（ステップＳ３３）。音声切換タイプ２，３のＡＴＴ再生中に音声切換操作が行われ、音声が切り換えられた場合はＰ＿Ｆｌａｇが反転される（ステップＳ３７、Ｓ３８）。その他は図５と同様である。
【００５３】
図４は上述した音声切換方法を実施する第２の実施の形態に係る音声切換装置の構成を示すブロック図である。
図４に示す構成のおける音声切換の処理手順は次の通りである。
第２の実施の形態に係る音声切換装置１Ｂは、音声出力端子設定回路２からの情報と、Ｕ＿ＡＳＬＮ，Ｃ＿ＡＳＬＮ，Ｐ＿Ｆｌａｇメモリ装置３Ｂのメモリ値、及びユーザーインターフェース回路４を通してユーザーが音声切換処理を指示したことをホストＭＰＵ５から通知され、それらに基づいて図３に示したフローチャートに従って音声切換を決定し、再生制御装置６に音声データの選択結果を通知すると同時に、オーディオデコーダ８に再生すべき音声データの属性を設定する。また、同時に、ホストＭＰＵ５からは音声データの再生開始・終了アドレスが再生制御装置６に通知される。Ｄ／Ａコンバータ装置９の端子設定は、音声出力端子設定回路２により、ステレオ出力かマルチチャンネル出力に設定されている。
【００５４】
引き続き、音声データの処理手順は次の通りである。ピックアップ駆動回路１０は、再生制御装置６によって指示されたディスク１１上の位置からデータを読み出し、データは復調エラー訂正回路１２を経て、トラックバッファ７にいったん蓄積される。データは再生制御装置６によって指示された時刻にトラックバッファ７から出力され、多重分離回路１３で音声データのみが分離され、オーディオバッファ１４を介してオーディオデコーダ８に入力され、ＰＣＭ信号に変換された後、Ｄ／Ａコンバータ装置９でアナログ音声信号に変換され出力される。
【００５５】
したがって、上述した第２の実施の形態によれば、グループ内に音声切換タイプが混在しており、特に下記の状況においても、音声出力端子のステレオ／マルチチャンネル設定に対応し、かつユーザーの一時的な切換意思にも対応して、常に適切な音声切換が可能となる。
【００５６】
・グループ内の最初のトラックが音声切換タイプ０か１である場合にグループの先頭から再生を開始し、その後、音声切換タイプ２又は３のトラックが再生される場合、
・グループ内の途中のトラックから再生を開始する場合で、再生開始トラックが音声切換タイプ０か１であり、その後、音声切換タイプ２又は３のトラックが再生される場合
・グループ内の音声切換タイプ２又は３のＡＴＴを再生中にユーザーが音声切換を行い、その後に別の切換タイプ２又は３のＡＴＴが再生される場合
【００５７】
以上の状況においても、
・グループ内で最初に出現する音声切換タイプ２又は３のＡＴＴでステレオ／マルチ自動選択を実行し、音声出力端子の設定に応じた音声を再生できる。
・音声切換タイプ２又は３のＡＴＴ再生中にユーザーが音声切換を行った場合にも、その意思をフラグに記憶し、その後に出現する音声切換タイプ２又は３のＡＴＴにおいても、ユーザーのステレオ／マルチチャンネル選択意思を保持した再生が可能である。
【００５８】
【発明の効果】
以上のように、本発明によれば、前記オーディオタイトル内の前記トラックが前記２チャンネルと前記マルチチャンネルの２つの音声信号を含むトラックであるか否かの判定が行われたか否かを示す判定終了フラグを、前記グループの再生開始時にリセットするステップと、前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、前記判定するステップにおいて、前記トラックが２つの音声信号を含むトラックであり、かつ、判定終了フラグが０であった場合には、判定終了フラグを０から１に反転し、さらに、前記オーディオディスク再生装置の音声出力設定の２チャンネル及びマルチチャンネルの別に対応して、前記トラックの前記２チャンネルと前記マルチチャンネルの音声のうち一方を選択するステップとを有するため、両音声をプレーヤーによって常に適切に自動選択することが可能となる。また、前記オーディオタイトル内の前記トラックが前記２チャンネルと前記マルチチャンネルの２つの音声信号を含むトラックである場合に、どちらの音声を優先的に再生するかを示す優先度フラグを、前記グループの再生開始時に、前記オーディオディスク再生装置の音声出力設定が前記２チャンネルである場合には０に、前記マルチチャンネルである場合には１に設定するステップと、前記グループ内の各前記オーディオタイトルの再生開始時に、前記オーディオタイトル内の前記トラックが前記２チャンネルと前記マルチチャンネルとの２つの音声信号を含むトラックであるか否かを判定するステップと、前記判定するステップにおいて、前記トラックが２つの音声信号を含むトラックである場合に、前記優先度フラグが０ならば前記トラックの前記２チャンネルの音声を選択し、前記優先度フラグが１ならば前記トラックの前記マルチチャンネルの音声を選択するステップと、前記オーディオタイトル内の前記トラックを再生中に、ユーザー操作により前記２チャンネルの音声と前記マルチチャンネルの音声の切換の信号が入力された場合には、前記優先度フラグの値を反転させるステップとを有するため、両音声をプレーヤーによって常に適切に自動選択することが可能となる。
【図面の簡単な説明】
【図１】  本発明の第１の実施の形態に係る音声切換手法における処理フローチャートである。
【図２】本発明の第１の実施の形態に係る音声切換手法を実施する音声切換装置の構成を示すブロック図である。
【図３】本発明の第２の実施の形態に係る音声切換手法における処理フローチャートである。
【図４】本発明の第２の実施の形態に係る音声切換手法を実施する音声切換装置の構成を示すブロック図である。
【図５】従来例の音声切換手法における処理フローチャートである。
【図６】従来例の音声切換手法を実施する音声切換装置の構成を示すブロック図である。
【符号の説明】
１Ａ，１Ｂ  音声切換装置
２  音声出力端子設定回路
３Ａ  Ｕ＿ＡＳＬＮ，Ｃ＿ＡＳＬＮ，Ｄ＿Ｆｌａｇメモリ装置
３Ｂ  Ｕ＿ＡＳＬＮ，Ｃ＿ＡＳＬＮ，Ｐ＿Ｆｌａｇメモリ装置
４  ユーザーインターフェース回路
５  ホストＭＰＵ
６  再生制御装置
７  トラックバッファ
８  オーディオデコーダ
９  Ｄ／Ａコンバータ装置
１０  ピックアップ駆動回路
１１  ディスク
１２  復調エラー訂正回路
１３  多重分離回路
１４  オーディオバッファ
【図１】
0003700920.tif 000009
【図２】
0003700920.tif 000010
【図３】
0003700920.tif 000011
【図４】
0003700920.tif 000012
【図５】
0003700920.tif 000013
【図６】
0003700920.tif 000014